(57)【特許請求の範囲】
【請求項１】
重心位置をフェース面に投影した重心点及び該フェース面の最大反発点が既知である複数のゴルフクラブヘッドの中から、該フェース面で打撃したゴルフボールの飛距離が最大となるゴルフクラブヘッドを、プレイヤーが自己の適性に応じて選定する方法であって、
前記ゴルフクラブヘッド及びゴルフボールをそれぞれ複数の有限要素に分割する第１ステップと、
前記プレイヤーが前記ゴルフクラブヘッドを有するゴルフクラブで前記ゴルフボールを打撃する直前における前記フェース面のスピード分布と、該プレイヤーの平均打点とを設定する第２ステップと、
前記ゴルフクラブヘッドのヘッド本体の仮の重心位置を前記フェース面に対して垂直に投影した仮の重心点と、前記フェース面の仮の最大反発点とを、前記スピード分布の等高線に対して角度θをなす方向に沿って前記フェース面に配置すると共に、該仮の最大反発点の周囲に反発分布を仮に設定する第３ステップと、
前記仮の重心点、仮の最大反発点及び仮の反発分布が設定されたフェース面を有するゴルフクラブヘッドが、該フェース面上の打点において、所定のヘッドスピードで前記ゴルフボールに衝突したときの該ゴルフボールの初速を、該フェース面上の打点の位置を変更する毎に算出する第４ステップと、
前記ゴルフボールの初速が最大となる打点と前記平均打点との間の距離を求める第５ステップと、
前記距離が最小となるように、前記仮の重心点の位置、仮の最大反発点の位置及び角度θのうちの少なくとも１つを変化させる第６ステップと、を含むゴルフクラブヘッドの選定方法。
【請求項２】
前記第５ステップにおいて、前記ゴルフボールの初速が最大となる打点と前記平均打点との間の距離を求めると共に、前記平均打点における前記ゴルフボールの初速を所定のしきい値と比較し、
前記第６ステップにおいて、前記距離が最小となり、かつ該平均打点における該ゴルフボールの初速が所定のしきい値以上となるように、前記仮の重心点の位置、仮の最大反発点の位置及び角度θのうちの少なくとも１つを変化させるようにした請求項１に記載のゴルフクラブヘッドの選定方法。
【請求項３】
前記第５ステップにおける所定のしきい値が、前記所定のヘッドスピードに対するミート率が１．４３以上となるゴルフボールの初速である請求項２に記載のゴルフクラブヘッドの選定方法。
【請求項４】
前記第３ステップにおいて、前記仮の重心点と前記仮の最大反発点との相対位置を、該仮の重心点がヒール側に、該仮の最大反発点がトウ側に、それぞれ配置されるようにすると共に、該仮の重心点と該仮の最大反発点との間の距離が５〜１５ｍｍになるようにした請求項１〜３のいずれかに記載のゴルフクラブヘッドの選定方法。
【請求項５】
前記第６ステップにおいて、前記平均打点が前記仮の重心点と前記仮の最大反発点とを結ぶ直線上に常に位置するようにした請求項１〜４のいずれかに記載のゴルフクラブヘッドの選定方法。
【請求項６】
重心位置をフェース面に投影した重心点及び該フェース面の最大反発点が既知である複数のゴルフクラブヘッドの中から、該フェース面で打撃したゴルフボールの飛距離が最大となるゴルフクラブヘッドを、プレイヤーが自己の適性に応じて選定する方法であって、
前記ゴルフクラブヘッド及びゴルフボールをそれぞれ複数の有限要素に分割する第１ステップと、
前記プレイヤーが前記ゴルフクラブヘッドを有するゴルフクラブで前記ゴルフボールを打撃する直前における前記フェース面のスピード分布と、該プレイヤーの平均打点とを設定する第２ステップと、
前記ゴルフクラブヘッドのヘッド本体の仮の重心位置を前記フェース面に対して垂直に投影した仮の重心点と、前記フェース面の仮の最大反発点とを、前記スピード分布の等高線に対して角度θをなす方向に沿って前記フェース面に配置すると共に、該仮の最大反発点の周囲に反発分布を仮に設定する第３ステップと、
前記仮の重心点、仮の最大反発点及び仮の反発分布が設定されたフェース面を有するゴルフクラブヘッドが、該フェース面上の打点において、所定のヘッドスピードで前記ゴルフボールに衝突したときの該ゴルフボールの初速を、該フェース面上の打点の位置を前記平均打点から所定の距離内で変更する毎に算出する第４ステップと、
前記ゴルフボールの初速が所定のしきい値以上となる打点の数を求める第５ステップと、
前記打点の数が最大となるように、前記仮の重心点の位置、仮の最大反発点の位置及び角度θのうちの少なくとも１つを変化させる第６ステップと、を含むゴルフクラブヘッドの選定方法。
【請求項７】
前記平均打点からの所定の距離が１０ｍｍである請求項６に記載のゴルフクラブヘッドの選定方法。
【請求項８】
前記第５ステップにおける所定のしきい値が、前記所定のヘッドスピードに対するミート率が１．４３以上となるゴルフボールの初速である請求項６又は７に記載のゴルフクラブヘッドの選定方法。
【請求項９】
前記第６ステップおいて、前記仮の重心点の位置、仮の最大反発点の位置、角度θ及び仮の反発分布の形状のうちの少なくとも１つを変化させるようにした請求項１〜８のいずれかに記載のゴルフクラブヘッドの選定方法。
【請求項１０】
前記第６ステップにおいて、角度θを９０°一定とした請求項１〜９のいずれかに記載のゴルフクラブヘッドの選定方法。
【請求項１１】
前記第２ステップにおいて、前記平均打点を前記フェース面の幾何学中心に設定した請求項１〜１０のいずれかに記載のゴルフクラブヘッドの選定方法。
【請求項１２】
前記重心位置をフェース面に投影した重心点及び該フェース面の最大反発点が既知である複数のゴルフクラブヘッドのそれぞれに、前記重心点及び最大反発点の位置を記載した表示媒体を付すようにした請求項１〜１１のいずれかに記載のゴルフクラブヘッドの選定方法。
【請求項１３】
前記ゴルフクラブヘッドが、中空構造のヘッド本体を有するウッド型のゴルフクラブヘッドである請求項１〜１２のいずれかに記載のゴルフクラブヘッドの選定方法。
【請求項１４】
ゴルフクラブヘッドにシャフトを取り付けてなるゴルフクラブの選定方法であって、前記ゴルフクラブヘッドは、請求項１〜１３に記載のゴルフクラブヘッドの選定方法により選定されるゴルフクラブの選定方法。
【発明の詳細な説明】
【技術分野】
【０００１】
本発明は、ゴルフクラブヘッド及びゴルフクラブの選定方法に関し、更に詳しくは、打球の飛距離が最大となるゴルフクラブヘッド及びゴルフクラブを、個々のプレイヤーが自己の適性に応じて選定することができる選定方法に関する。
【背景技術】
【０００２】
ゴルフクラブヘッドの設計においては、打球の飛距離を向上することが重要なポイントとなるため、フェース面のスイートスポットから外れた打点でゴルフボールを打撃しても、スイートスポットで打撃した場合とほぼ同等の飛距離（例えば、ボールの最大初速の９９％程度）を得ることができる領域、いわゆるスイートエリアを拡大することが行われている。
【０００３】
従って、プレイヤーがゴルフクラブヘッド及びゴルフクラブを選定する際には、スイートエリアが広いものを重視することが多い。そのため、ゴルフメーカーは、フェース部を薄くしたり、フェース面の面積を大きくしたりすることにより、スイートエリアを拡大している。また、このような画一的な方法ではなく、個々のプレイヤーの適性に応じるために、特許文献１のように、フェース面の最大撓み位置と、フェース面に投影されるヘッド本体の重心位置との相対的な位置関係に基づいてスイートエリアを形成することも行われ
ている。
【０００４】
しかしながら、プレイヤーが常にスイートエリアでゴルフボールを打撃するとは限らないため、スイートエリアの大きさだけを基準にしてゴルフクラブヘッド及びゴルフクラブを選定しても、打球の飛距離を向上させることは困難には限界があった。
【先行技術文献】
【特許文献】
【０００５】
【特許文献１】特開２００３−７７２号公報
【発明の概要】
【発明が解決しようとする課題】
【０００６】
本発明の目的は、打球の飛距離が最大となるゴルフクラブヘッド及びゴルフクラブを、個々のプレイヤーの適性に応じて選定することができるゴルフクラブヘッド及びゴルフクラブの選定方法を提供することにある。
【課題を解決するための手段】
【０００７】
上記の目的を達成する第１発明のゴルフクラブヘッドの選定方法は、重心位置をフェース面に投影した重心点及び該フェース面の最大反発点が既知である複数のゴルフクラブヘッドの中から、該フェース面で打撃したゴルフボールの飛距離が最大となるゴルフクラブヘッドを、プレイヤーが自己の適性に応じて選定する方法であって、前記ゴルフクラブヘッド及びゴルフボールをそれぞれ複数の有限要素に分割する第１ステップと、前記プレイヤーが前記ゴルフクラブヘッドを有するゴルフクラブで前記ゴルフボールを打撃する直前における前記フェース面のスピード分布と、該プレイヤーの平均打点とを設定する第２ステップと、前記ゴルフクラブヘッドのヘッド本体の仮の重心位置を前記フェース面に対して垂直に投影した仮の重心点と、前記フェース面の仮の最大反発点とを、前記スピード分布の等高線に対して角度θをなす方向に沿って前記フェース面に配置すると共に、該仮の最大反発点の周囲に反発分布を仮に設定する第３ステップと、前記仮の重心点、仮の最大反発点及び仮の反発分布が設定されたフェース面を有するゴルフクラブヘッドが、該フェース面上の打点において、所定のヘッドスピードで前記ゴルフボールに衝突したときの該ゴルフボールの初速を、該フェース面上の打点の位置を変更する毎に算出する第４ステップと、前記ゴルフボールの初速が最大となる打点と前記平均打点との間の距離を求める第５ステップと、前記距離が最小となるように、前記仮の重心点の位置、仮の最大反発点の位置及び角度θのうちの少なくとも１つを変化させる第６ステップとを含むことを特徴とするものである。
【０００８】
上記の目的を達成する第２発明のゴルフクラブヘッドの選定方法は、重心位置をフェース面に投影した重心点及び該フェース面の最大反発点が既知である複数のゴルフクラブヘッドの中から、該フェース面で打撃したゴルフボールの飛距離が最大となるゴルフクラブヘッドを、プレイヤーが自己の適性に応じて選定する方法であって、前記ゴルフクラブヘッド及びゴルフボールをそれぞれ複数の有限要素に分割する第１ステップと、前記プレイヤーが前記ゴルフクラブヘッドを有するゴルフクラブで前記ゴルフボールを打撃する直前における前記フェース面のスピード分布と、該プレイヤーの平均打点とを設定する第２ステップと、前記ゴルフクラブヘッドのヘッド本体の仮の重心位置を前記フェース面に対して垂直に投影した仮の重心点と、前記フェース面の仮の最大反発点とを、前記スピード分布の等高線に対して角度θをなす方向に沿って前記フェース面に配置すると共に、該仮の最大反発点の周囲に反発分布を仮に設定する第３ステップと、前記仮の重心点、仮の最大反発点及び仮の反発分布が設定されたフェース面を有するゴルフクラブヘッドが、該フェース面上の打点において、所定のヘッドスピードで前記ゴルフボールに衝突したときの該ゴルフボールの初速を、該フェース面上の打点の位置を前記平均打点から所定の距離内で変更する毎に算出する第４ステップと、前記ゴルフボールの初速が所定のしきい値以上となる打点の数を求める第５ステップと、前記打点の数が最大となるように、前記仮の重心点の位置、仮の最大反発点の位置及び角度θのうちの少なくとも１つを変化させる第６ステップと、を含むことを特徴とするものである。
【０００９】
本発明のゴルフクラブヘッドの選定方法は、中空構造のヘッド本体を有するウッド型のゴルフクラブヘッドの選定に好適に用いられる。
【００１０】
また、上記の目的を達成する本発明のゴルフクラブの選定方法は、ゴルフクラブヘッドにシャフトを取り付けてなるゴルフクラブの選定方法であって、そのゴルフクラブヘッドは、上記本発明のゴルフクラブヘッドの選定方法により選定されることを特徴とするものである。
【発明の効果】
【００１１】
本発明のゴルフクラブヘッドの選定方法によれば、上述したように、個々のプレイヤーに特有のフェース面のスピード分布と、そのスピード分布の等高線に対して角度θをなす方向に沿って配置された仮の重心点及び仮の最大反発点をパラメータとしてボール初速が最大となる打点を求め、その打点をプレイヤーの平均打点との距離が最短になるように、あるいはボール初速がしきい値以上となる打点の個数が、平均打点のまわりの所定の範囲内において最大となるように決定された仮の重心点及び仮の最大反発点を基にしてゴルフクラブヘッドの選定を行うようにしたので、打球の飛距離が最大となるゴルフクラブヘッドを、個々のプレイヤーの適性に応じて選定することができる。
【００１２】
また、本発明のゴルフクラブの選定方法によれば、ゴルフクラブヘッドにシャフトを取り付けてなるゴルフクラブの選定において、ゴルフクラブヘッドを上記本発明のゴルフクラブヘッドの選定方法により選定するようにしたので、打球の飛距離が最大となるゴルフクラブを、個々のプレイヤーの適性に応じて選定することができる。
【図面の簡単な説明】
【００１３】
【図１】本発明のゴルフクラブヘッドの選定方法の対象となるゴルフクラブヘッドの例を示す正面図である。
【図２】本発明のゴルフクラブヘッドの設計方法を実行するために使用されるコンピュータ２０の構成を示すブロック図である。
【図３】本発明の第１の実施形態からなるゴルフクラブヘッドの選定方法を説明するフロー図である。
【図４】コンピュータ２０によって構成される計算装置の構成を示す機能ブロック図である。
【図５】フェース面のスピード分布を説明する正面図である。
【図６】フェース面のスピード分布の例を示す正面図である。
【図７】ローリング成分の割合によるフェース面のスピード分布の変化を説明する正面図であって、（ａ）はローリング成分が大きい場合を、（ｂ）はローリング成分が中程度の場合を、（ｃ）はローリング成分が小さい場合を、それぞれ示す。
【図８】本発明の第１の実施形態におけるゴルフクラブヘッドの選定方法における初期設定の例を示す正面図である。
【図９】本発明の第１の実施形態におけるゴルフクラブヘッドの選定方法を説明する正面図である。
【図１０】本発明の第１の実施形態におけるゴルフクラブヘッドの選定方法における初期設定の他の例を示す正面図である。
【図１１】本発明の第２の実施形態からなるゴルフクラブヘッドの選定方法を説明するフロー図である。
【図１２】コンピュータ２０によって構成される計算装置の構成を示す機能ブロック図である。
【図１３】本発明の第２の実施形態におけるゴルフクラブヘッドの選定方法を説明する正面図である。
【発明を実施するための形態】
【００１４】
（第１の実施の形態）
以下に、本発明の実施の形態について、図面を参照して説明する。
【００１５】
図１は、本発明のゴルフクラブヘッドの選定方法の対象となるゴルフクラブヘッドの例を示す。
【００１６】
このゴルフクラブヘッドは、ゴルフボールを打撃するフェース面１と、そのフェース面
１に連接するクラウン部２及びソール部３とを外殻とする金属製の中空構造のヘッド本体４から構成されている。
ヘッド本体４の金属材料は、チタン合金やアルミニウム合金などの高強度の低比重金属が好ましく用いられる。
また、クラウン部２には、フェース面１側でかつヒール５寄りの位置にシャフト６に接続するホーゼル７が設けられている。
このゴルフクラブヘッドにおいては、重心位置をフェース面１に対して垂直に投影した重心点Ｇ、及びフェース面１の反発係数が最大となる最大反発点Ｔの位置が既知となっている。
【００１７】
それら重心点Ｇ及び／又は最大反発点Ｔの位置が、互いに異なる複数のゴルフクラブヘッドを対象とする場合において、本発明の第１の実施形態からなるゴルフクラブヘッドの選定方法を以下に詳述する。
【００１８】
図２は本発明のゴルフクラブヘッドの設定方法を実行するために使用されるコンピュータ２０の構成を示すブロック図である。
コンピュータ２０は、ＣＰＵ２２と、不図示のインターフェース回路およびバスラインを介して接続されたＲＯＭ２４、ＲＡＭ２６、ハードディスク装置２８、ディスク装置３０、キーボード３２、マウス３４、ディスプレイ３６、プリンタ３８、入出力インターフェース４０などを有している。
ＲＯＭ２４は制御プログラムなどを格納し、ＲＡＭ２６はワーキングエリアを提供するものである。
【００１９】
ハードディスク装置２８は、ゴルフクラブヘッドの有限要素解析を行う有限要素解析プログラムと、この有限要素解析プログラムによって得られたシミュレーション結果を用いてプレイヤーの適性に応じて打球の飛距離が最大となるゴルフクラブヘッドの設計値を求める専用の計算プログラムを格納している。
【００２０】
有限要素解析プログラムとして、有限要素解析を行う従来公知のさまざまな市販の有限要素解析ソフトウェア、例えば、ＡＢＡＱＵＳ（ＳＩＭＵＬＩＡ  Ａｍｅｒｉｃａｓ社の登録商標）などを用いることができる。
有限要素解析プログラムは、以下のプログラムを含んで構成されている。
１）有限要素モデルを作成するためのプログラム：
本実施の形態ではゴルフクラブヘッドおよびゴルフボールの有限要素モデルを作成するためのプログラムである。
２）有限要素モデルを用いて有限要素法によるシミュレーション（解析）を行うためのプログラム：
本実施の形態では、ゴルフクラブヘッドの有限要素モデルとゴルフボールの有限要素モデルとを用いて衝突解析を行うためのプログラムである。
【００２１】
ディスク装置３０はＣＤやＤＶＤなどの記録媒体に対してデータの記録および／または再生を行うものである。
キーボード３２およびマウス３４は、操作者による操作入力を受け付けるものである。
ディスプレイ３６はデータを表示出力するものであり、プリンタ３８はデータを印刷出力するものであり、ディスプレイ３６およびプリンタ３８によってデータを出力する。
入出力インターフェース４０は、外部機器との間でデータの授受を行うものである。
【００２２】
また、コンピュータ２０は、打球の飛距離が最大となるゴルフクラブヘッドを、個々のプレイヤーの適性に応じて選定する計算装置を構成する。
図２に示すように、この計算装置は、モデル作成手段２０Ａと、フェース面速度分布平均打点設定手段２０Ｂと、パラメータ仮設定手段２０Ｃと、初速算出手段２０Ｄと、打点間距離算出手段２０Ｅと、パラメータ変更手段２０Ｆとを含んで構成されている。
これら各手段２０Ａ乃至２０Ｆは、コンピュータ２０が前記の有限要素解析プログラムおよび前記の計算プログラムを実行することによって実現されるものである。
各手段２０Ａ乃至２０Ｆについては本実施の形態の選定方法と共に説明する。
【００２３】
まず、ヘッド本体４を複数の有限要素Ｘｉｊｋに、ゴルフボールを複数の有限要素Ｙｉｊｋ（ｉ、ｊ、ｋは整数）に、それぞれ分割する（Ｓ１０：第１ステップ）。すなわち、ヘッド本体４およびゴルフボールの有限要素モデルを作成する。有限要素モデルの作成は従来公知の有限要素法に基づいてなされるものである。ステップＳ１０はコンピュータ２０が有限要素解析プログラムを実行することで行われる。なお、このステップＳ１０は図２のモデル作成手段２０Ａに相当する。
ここで有限要素とは、有限要素法による解析を行うための要素であって、梁要素、シェル要素及び固体要素などが例示される。
また、計算に必要な物性値としては、ロフト角、重心深さ、バルジ＆ロール半径、ＦＰ値（フェースプログレッション）や、慣性モーメント、ヘッド質量などが例示される。
【００２４】
次に、あらかじめ測定したフェース面１のスピード分布をフェース面１に設定する（Ｓ１１）。
このスピード分布とは、プレイヤーがヘッド本体４を有するゴルフクラブでゴルフボールを打撃したときに、打撃直前におけるフェース面１のスピードの分布を意味するものである。
スピード分布は、シャフト６の長さに依存する成分と、ヘッド本体４のローリング（シャフト６の回りの回転）による成分とから主に決定される。
図５に示すように、前者のシャフト６の長さに依存する成分は、シャフト６の中心軸の延長線Ｌの垂線が、ヘッド本体４のソール部３に接する点Ａにおいて最大となる。
また、後者のヘッド本体４のローリングに依存する成分は、シャフト６の中心軸の延長線Ｌから最も離れた点Ｂ（ヘッド本体４のトウ８側端部）において最大となる。
従って、フェース面１のスピードは、図６に示すように、フェース面１のヒール５側の上部ａからトウ側８の下部ｇへ向けて次第に大きくなるように分布する。
なお、図６においては、速度０．５ｍ／ｓ毎に等高線ｖを示している。
【００２５】
上記のシャフト６の長さに依存する成分と、ヘッド本体４のローリングに依存する成分との割合は、個々のプレイヤーの適性によって異なり、ローリングに依存する成分が大きい場合には、図７（ａ）に示すように、等高線ｖの傾きが大きくなると共に、隣接する等高線ｖ間の幅が狭くなる。そして、ローリングに依存する成分が小さくなり、シャフト６の長さに依存する成分が大きくなると、図７（ｂ）及び図７（ｃ）に示すように、等高線ｖの傾きが小さくなると共に、隣接する等高線ｖ間の幅が広くなる。
【００２６】
このように、フェース面１のスピード分布は、個々のプレイヤーの適性に応じた固有の
ものである。
【００２７】
スピード分布の測定方法は、特に限定するものではないが、例えば特開２００５−３４
６１９号公報に記載されたゴルフクラブヘッドの挙動計測装置のように、ヘッド本体に設
けた複数のマーカの変位をカメラで連続的に撮影し、その三次元座標の時系列データを計
算機で処理する方法を用いることができる。
【００２８】
更に、ステップＳ１１では、あらかじめ求めた個々のプレイヤーの平均的な打点Ｆの位置をフェース面１に設定する。この平均打点Ｆの測定には、上述した特開２００５−３４６１９号公報に記載されたゴルフクラブヘッドの挙動計測装置を用いることができる。
なお、平均打点Ｆを測定する代わりに、一般的なプレイヤーの打点であるフェース面１の幾何学中心を、平均打点Ｆとしてもよい。
ステップＳ１１はコンピュータ２０が前記の計算プログラムを実行することで行われる。
なお、ステップＳ１１は、第２ステップに相当し、かつ、図２のフェース面速度分布平均打点設定手段２０Ｂに相当する。
【００２９】
次に、図８に示すように、フェース面１に仮の重心点Ｐ及び仮の最大反発点Ｑを、スピード分布の等高線ｖに対して角度θ（０〜１８０°）をなす直線Ｍに沿って配置する（Ｓ１２）と共に、仮の最大反発点Ｑの周囲における反発係数の分布（反発分布）Ｒも仮に設定する（Ｓ１３）。
仮の最大反発点Ｑは、フェース面１の反発係数が最大となる点を意味するが、ここではフェース面１におけるたわみ量が最も大きくなる点（最大たわみ点）を用いている。
このたわみ量と反発係数とは正の相関関係にあるため、反発分布Ｒの値は、たわみ量を反発係数に換算することにより決定している。
反発分布Ｒの形状としては、仮の最大反発点Ｑに対して同心円状かつ等間隔の等高線を有する形状などが例示される。
ステップＳ１２、Ｓ１３はコンピュータ２０が前記の計算プログラムを実行することで行われる。
なお、ステップＳ１２、Ｓ１３は、第３ステップに相当し、かつ、図２のパラメータ仮設定手段２０Ｃに相当する。ここで、パラメータとは、仮の重心点Ｐ、仮の最大反発点Ｑ、角度θをなす直線Ｍ、反発係数の分布（反発分布）Ｒを含むものである。
【００３０】
なお、ゴルフルールに抵触することがないように、換算後の反発係数の最大値（最大反発点Ｑにおける反発係数）は、Ｒ＆Ａ（ロイヤル・アンド・エインシェント・ゴルフ・クラブ・オブ・セント・アンドリューズ）及びＵＳＧＡ（全米ゴルフ協会）により規定された上限値である０．８３（ペンデュラム試験における特性時間２５７μｓに相当）を超えないようにすることが好ましい。
【００３１】
そして、ヘッド本体４が、フェース面１上の打点Ｄにおいて、所定のヘッドスピードＨでゴルフボールに衝突したときのゴルフボールの初速（ボール初速）を計算する（Ｓ１４〜Ｓ１５）。
このボール初速の計算を、打点Ｄの位置を変化させるたびに行い（Ｓ１６）、図９に示すように、ボール初速が最大となる打点Ｄ’の位置を決定する（Ｓ１７）と共に、その打点Ｄ’と平均打点Ｆとの距離Ｎを求める（Ｓ１８）。
ステップＳ１４、Ｓ１５はコンピュータ２０が有限要素解析プログラムを実行することで行われ、ステップＳ１６、Ｓ１７，Ｓ１８はコンピュータ２０が前記の計算プログラムを実行することで行われる。
なお、ステップＳ１４、Ｓ１５、Ｓ１６は、第４ステップに相当し、かつ、図２の初速算出手段２０Ｄに相当する。
ステップＳ１７、Ｓ１８は、第５ステップに相当し、かつ、図２の打点間距離算出手段２０Ｅに相当する。
【００３２】
次に、仮の重心点Ｐ、仮の最大反発点Ｑ及び角度θの少なくとも１つを変化させた（Ｓ１８〜Ｓ２０）後に、ボール初速が最大となる打点Ｄ’と平均打点Ｆとの距離Ｎを求める作業を繰り返し行う（Ｓ１４〜Ｓ１７）。
なお、ボール初速はヘッド本体４の慣性モーメントにより大きな影響を受けるため、仮の重心点Ｐの位置が最も重要なパラメータとなる。
ステップＳ１８、Ｓ１９，Ｓ２０はコンピュータ２０が前記の計算プログラムを実行することで行われる。
なお、ステップＳ１８、Ｓ１９，Ｓ２０は、第５ステップに相当し、かつ、図２のパラメータ変更手段２０Ｆに相当する。
【００３３】
上記の作業を通じて求められた距離Ｎが最小となるケースを抽出し（Ｓ２１）、そのケースにおける仮の重心点Ｐの位置及び仮の最大反発点Ｑの位置に最も近い重心点Ｇ及び最大反発点Ｔを有するゴルフクラブヘッドを選定する。
【００３４】
このようにゴルフクラブヘッドを選定することにより、ボール初速が最大となる打点Ｄ’が、プレイヤーの平均打点Ｆに最も近接するゴルフクラブヘッドを選択することができるので、打球の飛距離が最大となるゴルフクラブヘッドを、個々のプレイヤーの適性に応じて選択することができる。
【００３５】
上記の選定方法においては、ボール初速が最大となる打点Ｄ’を求めて平均打点Ｆとの距離Ｎを求めると共に、そのときの平均打点Ｆにおけるボール初速が所定のしきい値Ｃ以上となることを確認することが望ましい。
このしきい値Ｃを適切に設定することにより、平均打点Ｆが、いわゆるスイートエリアに含まれているか否かを判断することができる。
スイートエリアとは、フェース面１のスイートスポットを外してゴルフボールを打撃した場合でも、スイートスポットで打撃した場合とほぼ同等のボール初速を得ることができる領域を意味する。
しきい値Ｃは、ヘッドスピードＨに対するミート率（ボール初速／ヘッドスピードＨ）が１．４３以上となるように設定されることが望ましい。
例えば、ヘッドスピードＨを、平均的なプレイヤーのヘッドスピードである３０〜５０ｍ／ｓとしたときには、しきい値Ｃは４２．９〜７１．５ｍ／ｓの範囲となる。
【００３６】
言い換えると、ゴルフボールの初速が最大となる打点Ｄ’と平均打点Ｆとの間の距離Ｎを求めると共に、平均打点Ｆにおけるゴルフボールの初速を所定のしきい値Ｃと比較する（第５ステップに相当）。
次いで、距離Ｎが最小となり、かつ該平均打点Ｆにおける該ゴルフボールの初速が所定のしきい値Ｃ以上となるように、仮の重心点Ｐの位置、仮の最大反発点Ｑの位置及び角度θのうちの少なくとも１つを変化させる（第６ステップに相当）。
このようにすることで、ボール初速が最大となる打点Ｄ’が、プレイヤーの平均打点Ｆに最も近接し、かつ平均打点Ｆがスイートエリアに含まれるゴルフクラブヘッドを選定することができるので、打球の飛距離を更に向上することができる。
【００３７】
上記の選定方法における計算時間を短縮するためには、フェース面１に仮の重心点Ｐ及び仮の最大反発点Ｑを配置する際（Ｓ１２）に、図１０に示すように、仮の重心点Ｐと仮の最大反発点Ｑとの相対位置を、仮の重心点Ｐがヒール５側へ、仮の最大反発点Ｑがトウ８側へそれぞれ配置されるようにすると共に、それら２点の間の距離Ｗが５〜１５ｍｍとなるようにすることが望ましい。
ここで、仮の重心点Ｐの位置を、ゴルフクラブヘッドのヒール５側へ配置させ、仮の最大反発点Ｑ（最大たわみ点）の位置を、トウ８側へ配置させる理由は、フェースセンター近辺（最も人が打球する確率の高い位置）で、ボール初速が最高値になるようにするためである。
また、重心点Ｐと最大反発点Ｑ（最大たわみ点）との間の距離Ｗを５〜１５ｍｍとする理由は、ボール初速が最高値となる打点である最高初速点は、重心点Ｐと最大反発点Ｑの間に位置すると共に、最高初速点はそれら２点間の距離Ｗが５〜１５ｍｍの間に存在することが既知であるためである。
【００３８】
また、平均打点Ｆが、仮の重心点Ｐと仮の最大反発点Ｑとを結ぶ直線上Ｍに位置するようにすることが望ましい。このようにすることで、個々のプレイヤーの適性への対応を更に高めることができる。
【００３９】
（第２の実施の形態）
第１の実施の形態は、ボール初速が最大となる打点Ｄ’が、プレイヤーの平均打点Ｆに最も近接するゴルフクラブヘッドを選択したが、第２の実施の形態は、プレイヤーの平均打点Ｆのまわりに拡がるスイートエリアが最も大きくなるゴルフクラブヘッドを選択するようにしたものである。
【００４０】
第２の実施の形態においても、ゴルフクラブの選定方法を実行するために、第１の実施の形態と同様に、図２に示すコンピュータ２０を用いる。
ハードディスク装置２８は、ゴルフクラブヘッドの有限要素解析を行う第１の実施の形態と同様の有限要素解析プログラムと、この有限要素解析プログラムによって得られたシミュレーション結果を用いてプレイヤーの適性に応じて打球の飛距離が最大となるゴルフクラブヘッドを選定する専用の計算プログラムを格納している。
【００４１】
第２の実施の形態においても、コンピュータ２０はプレイヤーの適性に応じて打球の飛距離が最大となるゴルフクラブヘッドを選定する計算装置を構成する。
図１２に示すように、この計算装置は、モデル作成手段２０Ｇと、フェース面速度分布平均打点設定手段２０Ｈと、パラメータ仮設定手段２０Ｉと、初速算出手段２０Ｊと、打点数算出手段２０Ｋと、パラメータ変更手段２０Ｌとを含んで構成されている。
これら各手段２０Ｇ乃至２０Ｌは、コンピュータ２０が前記の有限要素解析プログラムおよび前記の計算プログラムを実行することによって実現されるものである。
各手段２０Ｇ乃至２０Ｌについては以下に示す選定方法と共に説明する。
【００４２】
図１１に示すように、この実施形態では、上記第１の実施形態と同じようにして、打点Ｄにおけるボール初速を計算した（Ｓ３０〜Ｓ３５）後は、図１３に示すように、打点Ｄを平均打点Ｆから所定の距離Ｕ内で移動させ（Ｓ３６）、ボール初速がしきい値Ｃ以上となる打点Ｄの個数をカウントし（Ｓ３７）、仮の重心点Ｐ、仮の最大反発点Ｑ及び角度θの少なくとも１つを変化させて（Ｓ３８〜Ｓ４０）、そのカウントされた打点Ｄの個数が最大となるケースを抽出し（Ｓ４１）、そのケースにおける仮の重心点Ｐの位置及び仮の最大反発点Ｑの位置に最も近い重心点Ｇ及び最大反発点Ｔを有するゴルフクラブヘッドを選定するものである。
【００４３】
ステップＳ３０は、コンピュータ２０が有限要素解析プログラムを実行することで行われる。なお、ステップＳ３０は、第１のステップに相当し、かつ、図１２のモデル作成手段２０Ｇに相当する。
【００４４】
ステップＳ３１は、コンピュータ２０が前記の計算プログラムを実行することで行われる。なお、ステップＳ３１は、第２のステップに相当し、かつ、図１２のフェース面速度分布平均打点設定手段２０Ｈに相当する。
【００４５】
ステップＳ３２、Ｓ３３は、コンピュータ２０が前記の計算プログラムを実行することで行われる。なお、ステップＳ３２、Ｓ３３は、第３ステップに相当し、かつ、図１２のパラメータ仮設定手段２０Ｉに相当する。ここで、パラメータとは、第１の実施の形態と同様に、仮の重心点Ｐ、仮の最大反発点Ｑ、角度θをなす直線Ｍ、反発係数の分布（反発分布）Ｒを含むものである。
【００４６】
ステップＳ３４、Ｓ３５はコンピュータ２０が有限要素解析プログラムを実行することで行われ、ステップＳ３６−Ｓ４０はコンピュータ２０が前記の計算プログラムを実行することで行われる。
なお、ステップＳ３４、Ｓ３５、Ｓ３６は、第４ステップに相当し、かつ、図１２の初速算出手段２０Ｊに相当する。
ステップＳ３７は、第５ステップに相当し、かつ、図１２の打点数算出手段２０Ｋに相当する。
ステップＳ３８、Ｓ３９，Ｓ４０は、第６ステップに相当し、かつ、図１２のパラメータ変更手段２０Ｌに相当する。
【００４７】
ステップＳ３７におけるしきい値Ｃを適切に設定することにより、平均打点Ｆのまわりに拡がるスイートエリアの大きさを確定することができる。
【００４８】
このようにゴルフクラブヘッドを選定することにより、プレイヤーの平均打点Ｆのまわりに拡がるスイートエリアが最も大きくなるゴルフクラブヘッドを選択することができるので、打球の飛距離が最大となるゴルフクラブヘッドを、個々のプレイヤーの適性に応じて選択することができる。
【００４９】
しきい値Ｃについては、上記第１の実施形態の場合と同じく、ヘッドスピードＨに対するミート率（ボール初速／ヘッドスピードＨ）が１．４３以上となるように設定されることが望ましい。
【００５０】
また、平均打点Ｆからの所定の距離Ｕについては、平均的なプレイヤーの打点のズレ量である１０ｍｍ、より好ましくは５ｍｍとするのがよい。
【００５１】
上記第１及び第２の実施形態に係る選定方法においては、更に反発分布Ｒの形状を変化させるようにすることもできる。形状変化のパラメータとしては、等高線の形状、幅や値などが例示される。このようにすることで、打点Ｄ’の位置を高い精度で決定することができる。
【００５２】
また、計算時間を更に短縮するために、角度θを９０°一定としたり、平均打点Ｆを一般的なプレイヤーの打点であるフェース面１の幾何学中心（フェースセンター）とすることが望ましい。
【００５３】
本発明の実施に際しては、複数のゴルフクラブヘッドのそれぞれに重心点Ｇ及び最大反
発点Ｔの位置を明示する表示媒体を付しておくことが、選定を容易かつ短時間で行う上か
ら好ましい。
【００５４】
本発明のゴルフクラブヘッドの選定方法の対象は特に限定するものではないが、図１に示すような、中空構造のヘッド本体を有するウッド型のゴルフクラブヘッドを対象とした選定に好適に用いられる。
【００５５】
また、ゴルフクラブヘッドにシャフトを取り付けてなるゴルフクラブの選定においては、そのゴルフクラブヘッドの選定に本発明のゴルフクラブヘッドの選定方法を用いることができる。
【符号の説明】
【００５６】
１  フェース面
２  クラウン部
３  ソール部
４  ヘッド本体
５  ヒール
６  シャフト
７  ホーゼル
８  トウ
【図１】
0005521828.tif 000002
【図２】
0005521828.tif 000003
【図３】
0005521828.tif 000004
【図４】
0005521828.tif 000005
【図５】
0005521828.tif 000006
【図６】
0005521828.tif 000007
【図７】
0005521828.tif 000008
【図８】
0005521828.tif 000009
【図９】
0005521828.tif 000010
【図１０】
0005521828.tif 000011
【図１１】
0005521828.tif 000012
【図１２】
0005521828.tif 000013
【図１３】
0005521828.tif 000014